(57)【要約】【課題】この発明は、据付時間を短縮できるとともに、誤結線による不具合発生の可能性を低減させることができるエレベータのドア装置及びエレベータのドア位置検出センサ判別方法を提供することを目的とするものである。【解決手段】ドアカム装置１０には、かごドア本体２の全閉状態及び全開状態を検出するための第１及び第２のドア位置検出センサが組み込まれている。ドア制御装置１５は、ドアカム装置等と結線されるとともに電源が投入された際に、かごドア本体２を試しに開閉動作させ、第１及び第２のドア位置検出センサがどの位置状態を検出するかを、第１のドア位置検出センサ２０及び第２のドア位置検出センサのＯＮ状態及びＯＦＦ状態が、その開閉動作中のどのタイミングでどのように切り替わったかに基づいて判定する。【選択図】図１
2007126225.tif 000002
【特許請求の範囲】
【請求項１】
かごと乗場との間の出入口を開閉するドア本体、
上記ドア本体の開閉動作を制御するドア制御装置、及び
一方が上記ドア本体の全閉状態を検出し、他方が上記ドア本体の全開状態を検出する第１及び第２のドア位置検出センサを有するドア位置検出器
を備え、
上記ドア制御装置は、上記ドア本体を開閉動作させるとともに、上記第１及び第２のドア位置検出センサが上記ドア本体のどの位置状態を検出するのかを、その開閉動作時に上記ドア位置検出器から入力された情報に基づいて判定する入力情報判別動作を行うことを特徴とするエレベータのドア装置。
【請求項２】
上記ドア制御装置は、上記第１及び第２のドア位置検出センサが上記ドア本体のどの位置状態を検出するのかを、上記第１及び第２のドア位置検出センサのＯＮ状態及びＯＦＦ状態が、上記ドア本体の開閉動作中のどのタイミングでどのように切り替わったかに基づいて判定することを特徴とする請求項１記載のエレベータのドア装置。
【請求項３】
上記第１及び第２のドア位置検出センサは、上記ドア本体の開閉に伴って回転されるカムと、上記カムの回転に応じてオン及びオフされるスイッチとをそれぞれ含んでいることを特徴とする請求項１又は請求項２に記載のエレベータのドア装置。
【請求項４】
ドア本体を開閉動作させるステップ、及び
上記第１及び第２のドア位置検出センサが上記ドア本体のどの位置状態を検出するのかを、上記第１及び第２のドア位置検出センサのＯＮ状態及びＯＦＦ状態が、上記ドア本体の開閉動作中のどのタイミングでどのように切り替わったかに基づいて判定するステップ
を含むことを特徴とするエレベータのドア位置検出センサ判別方法。
【発明の詳細な説明】
【技術分野】
【０００１】
この発明は、エレベータのかごと乗場との間の出入口を開閉するエレベータのドア装置、及びそのドア装置に用いられたドア位置検出センサの情報を判別するエレベータのドア位置検出センサ判別方法に関するものである。
【背景技術】
【０００２】
従来のエレベータのドア装置では、ドア本体の位置を検出するためのドアカム装置がドア制御装置に接続されている。ドアカム装置には、ドア本体の開閉動作に伴って回転される複数のドアカムディスクと、各ドアカムディスクの回転状態を検出するための複数のカム検出センサとが組み込まれている。各ドアカムディスクの構造は、例えば全閉位置、全開位置、及び減速位置等の所定位置にドア本体が位置されたときに、所定のカム検出センサがＯＮ状態となるようになっている。ドア制御装置は、各カム検出センサからの情報に基づいてドア本体の位置を検出し、そのドア本体の位置と、エレベータ制御盤からの指令信号とに基づいて、ドアの開閉動作を制御している。
また、ドア装置には左開きのドア装置と右開きのドア装置とがある。一般に、ドアカム装置をドア装置に取り付ける場合、左開きでも右開きでもドアカム装置の構造を変えずに、ドアカム装置とドア制御装置と間の結線を変え出力信号を入れ替えることで対応している。
さらに、従来上述したようなエレベータ装置に対して、ドア本体、ドアモータ、及びドアカム装置等の機械系部品は既設のものを流用し、ドア制御装置等の制御系部品のみを新規のものに交換する部分改修工事が施されている（例えば、特許文献１参照）。
【０００３】
【特許文献１】特開２００３−１０４６５２号公報
【発明の開示】
【発明が解決しようとする課題】
【０００４】
上記のような従来のエレベータのドア装置では、ドアカム装置とドア制御装置と間の結線を変える位置は、例えばドアカム装置の筐体内であったり、ドア制御装置の筐体内であったりして、作業者（現場）によって異なる。このため、ドア制御装置を新規のものに交換する際に、ある現場では現状の結線をそのまま利用できたり、別の現場では結線を変更する必要があったりして、結線変更判断の誤りや、作業忘れ等が発生しやすく、仮に間違った方法で結線してしまうと、例えばエレベータ装置が起動しない等の不具合が発生してしまう。
【０００５】
この発明は、上記のような課題を解決するためになされたものであり、その目的は、据付時間を短縮できるとともに、誤結線による不具合発生の可能性を低減させることができるエレベータのドア装置及びエレベータのドア位置検出センサ判別方法を提供することである。
【課題を解決するための手段】
【０００６】
この発明に係るエレベータのドア装置は、かごと乗場との間の出入口を開閉するドア本体、ドア本体の開閉動作を制御するドア制御装置、及び一方がドア本体の全閉状態を検出し、他方がドア本体の全開状態を検出する第１及び第２のドア位置検出センサを有するドア位置検出器を備え、ドア制御装置は、ドア本体を開閉動作させるとともに、第１及び第２のドア位置検出センサがドア本体のどの位置状態を検出するのかを、その開閉動作時にドア位置検出器から入力された情報に基づいて判定する入力情報判別動作を行う。
【発明の効果】
【０００７】
この発明のエレベータのドア装置によれば、ドア制御装置は、ドア本体を開閉動作させるとともに、第１及び第２のドア位置検出センサがドア本体のどの位置状態を検出するのかを、その開閉動作時にドア位置検出器から入力された情報に基づいて判別する入力情報判別動作を行うので、ドア制御装置と第１及び第２のドア位置検出センサと間の結線方法を選択する必要をなくすことができ、据付時間を短縮できるとともに、誤結線による不具合発生の可能性を低減させることができる。
【発明を実施するための最良の形態】
【０００８】
以下、この発明を実施するための最良の形態について、図面を参照して説明する。
実施の形態１．
図１は、この発明の実施の形態１による右開きのエレベータのかごドア装置を示す構成図であり、かごドア装置を乗場側から見た状態を示している。図２は、図１のエレベータのかごドア装置が左開きである場合を示す構成図である。図１及び図２に示すように、右開き（右勝手）及び左開き（左勝手）のかごドア装置の構造は線対称の関係であり、それらの構成は基本的には同じである。ここではまず、右開きのかごドア装置である図１を用いて、かごドア装置の構成について説明する。
【０００９】
図１において、かご出入口１は一対のかごドア本体２によって開閉される。各かごドア本体２の上端部には、ドアハンガ３が固定されている。ドアハンガ３には、一対のハンガローラ４が取り付けられている。かご出入口１の上側には、ドアレール５とドア駆動装置６とが配置されている。各かごドア本体２は、ドアハンガ３及びハンガローラ４を介してドアレール５に吊り下げられている。また、各かごドア本体２は、ドア駆動装置６の駆動力によって、ドアレール５に案内されて開閉動作されるようになっている。なお、図中の矢印は戸開方向を示している。
【００１０】
ドア駆動装置６は、直流ドアモータ７、直流ドアモータ７の回転速度を減速する減速機８、及び減速用抵抗（図示せず）を有している。減速機８には、駆動ディスク９と、ドア位置検出器であるドアカム装置１０とが取り付けられている。駆動ディスク９は、リンク１１によってかごドア本体２に連結されている。リンク１１は、駆動ディスク９での回転トルクを水平方向の力に変換するためのものである。ドア駆動装置６の駆動力は、駆動ディスク９及びリンク１１を介してかごドア本体２に伝動される。
【００１１】
ドアカム装置１０は、例えば全開位置、全閉位置、及び減速位置等の各所定位置に、かごドア本体２が位置されていることを検出するためのものである。なお、ドアカム装置１０については後に詳しく説明する。
【００１２】
ドア駆動装置６には、ドア制御装置１５が接続されている。ドア制御装置１５には、エレベータ装置全体の動作制御を行うエレベータ制御盤１６が接続されている。ドア制御装置１５は、エレベータ制御盤１６からの指令信号と、ドアカム装置１０からの位置状態信号とに基づいてドア駆動装置６の動作を制御する。
【００１３】
次に、図３は、図１のかごドア本体２が全閉されているときのドアカム装置１０の一部を示す正面図である。図４は、図１のかごドア本体２が全開されているときのドアカム装置１０の一部を示す正面図である。ドアカム装置１０は、第１のドア位置検出センサ２０と第２のドア位置検出センサ（図示せず）とを有している。第２のドア位置検出センサの構成は、第１のドア位置検出センサ２０の構成と基本的に同じである。まず、それら構成の共通部分を第１のドア位置検出センサ２０で説明する。
【００１４】
第１のドア位置検出センサ２０は、第１のスイッチ２１及び第１のカム２２を含んでいる。第１のスイッチ２１は、固定接触子２５と、固定接触子２５を減速機８の筐体に固定する固定接触子取付板２６と、可動接触子２７と、可動接触子２７の一端を減速機８の筐体に固定する可動接触子取付板２８とを含んでいる。第１のカム２２は、駆動ディスク９の軸に連結されている。また、第１のカム２２は、かごドア本体２の開閉動作に伴って図中の矢印の範囲で回動される。第１のカム２２の外周部の一部には突起２２ａが設けられている。突起２２ａは、第１のカム２２の回転に応じて可動接触子２７を変位させる。
【００１５】
第２のドア位置検出センサは、第１のスイッチ２１及び第１のカム２２と同様の第２のスイッチ（図示せず）及び第２のカム（図示せず）を含んでいる。但し、第２のカムの突起の位置は、第１のカム２２の突起２２ａの位置と異なっている。
【００１６】
次に、図５は、図４の第１のスイッチ２１と第２のスイッチとがＯＮされるタイミングを示す説明図である。第１のカム２２に設けられた突起２２ａは、かごドア本体２が全閉されているときに固定接触子２５と可動接触子２７とを離間させ、かごドア本体２が全閉されていないときに接触させるように配置されている。ドア制御装置１５は、固定接触子２５と可動接触子２７とが離間されているとき、即ち第１のスイッチ２１がＯＮされているときに全閉状態信号を検出する。
【００１７】
これに対して、第２のカムに設けられた突起は、かごドア本体２が全開されているときに第２のスイッチの接触子を離間させ、かごドア本体２が全開されていないときに第２のスイッチの接触子を接触させるようになっている。ドア制御装置１５は、第２のスイッチの接触子が離間されているとき、即ち第２のスイッチがＯＮされているときに全開状態信号を検出する。
【００１８】
次に、図６は、図２のドアカム装置１０内に設けられた第１のスイッチ２１と第２のスイッチとがＯＮされるタイミングを示す説明図である。左開きのかごドア装置に取り付けられたドアカム装置１０の第１のスイッチ２１と第２のスイッチとは、かごドア装置が右開きである場合とは異なるタイミングでＯＮ及びＯＦＦされる。具体的には、第１のスイッチ２１はかごドア本体２が全開されているときのみにＯＮされ、第２のスイッチはかごドア本体２が全閉されているときのみにＯＮされる。つまり、かごドア装置が左開きである場合には、かごドア装置が右開きである場合とは異なり、第１のドア位置検出センサ２０が全開状態を検出するためのものになり、第２のドア位置検出センサが全閉状態を検出するためのものになる。このため、ドア制御装置１５は、第１のドア位置検出センサ２０のＯＮ状態がかごドア本体２の全開状態及び全閉状態のどちらを示し、第２のドア位置検出センサのＯＮ状態がかごドア本体２の全開状態及び全閉状態のどちらを示すのかを、正しく認識する必要がある。
【００１９】
ドア制御装置１５は、ドアカム装置１０等と結線された後に電源が投入されると、かごドア本体２を試しに開閉動作させる（入力信号判別運転）。また、ドア制御装置１５は、第１のドア位置検出センサ２０及び第２のドア位置検出センサがかごドア本体２のどの位置状態を検出したのかを、入力信号判別運転中にドアカム装置１０から入力された情報に基づいて判定する（入力情報判別動作）。
【００２０】
ここで、通常運転時には、ドア制御装置１５は、全閉状態信号及び全開状態信号を検出すると、直流ドアモータ７のトルクを弱めたり、直流ドアモータ７の動作を停止させたりする。これに対して、入力信号判別運転時には、ドア制御装置１５は、かごドア本体２の開閉動作制御に全閉状態信号及び全開状態信号を用いず、強制的にかごドア本体２を開閉動作させる。このため、かごドア本体２が実際に全閉状態及び全開状態であっても、直流ドアモータ７のトルクが弱められないので、直流ドアモータ７の焼損に注意する必要がある。ドア制御装置１５は、第１のスイッチ２１及び第２のスイッチのいずか一方のＯＮ状態の時間が、入力信号判別運転時に所定時間に達した場合、かごドア本体２の全開状態（全閉状態）を検出し、かごドア本体２の開閉動作を反転させる。また、ドア制御装置１５は、入力情報判別動作を行った後に、入力情報判別動作での判別結果を記憶し、その判別結果に基づいて通常運転を行う。
【００２１】
次に、動作について説明する。図７は、図１及び図２のドア制御装置１５が行う入力情報判別動作を示すフローチャートである。図において、エレベータ装置の電源が投入されると、入力信号判別運転が行われる（ステップＳ１）。即ち、かごドア本体２が一度だけ強制的に戸開されるとともに戸閉される。
【００２２】
その次に、入力信号判別運転時にドアカム装置１０から入力された信号の判別動作が行われる。この判別動作では、まず、第１のドア位置検出センサ２０がかごドア本体２の全閉状態を検出し、第２のドア位置検出センサがかごドア本体２の全開状態を検出したかどうかが判定される。
【００２３】
具体的には、まず、かごドア本体２の戸開動作中時に、第１のスイッチ２１がＯＮ状態からＯＦＦ状態に変わった後に、第２のスイッチがＯＦＦ状態からＯＮ状態に変わったかどうかが判定される（ステップＳ２）。このとき、第１のスイッチ２１がＯＮ状態からＯＦＦ状態に変わった後に、第２のスイッチがＯＦＦ状態からＯＮ状態に変わったと判定されると、次に、かごドア本体２の戸閉動作中に、第２のスイッチがＯＮ状態からＯＦＦ状態に変わった後に、第１のスイッチ２１がＯＦＦ状態からＯＮ状態に変わったかどうかが判定される（ステップＳ３）。この判定時に、第２のスイッチがＯＮ状態からＯＦＦ状態に変わった後に、第１のスイッチ２１がＯＦＦ状態からＯＮ状態に変わったと判定されると、第１のドア位置検出センサ２０がかごドア本体２の全閉状態を検出し、第２のドア位置検出センサがかごドア本体２の全開状態を検出したと判定されるとともに（ステップＳ４）、その判定結果がメモリに記憶され、その後に通常運転に移行されるとともに（ステップＳ５）、この入力情報判別動作が終了される。
【００２４】
これに対して、上述した条件が満たされなかった場合、即ちかごドア本体２の戸開動作中時に、第１のスイッチ２１がＯＮ状態からＯＦＦ状態に変わった後に、第２のスイッチがＯＦＦ状態からＯＮ状態に変わらなかった場合、及びかごドア本体２の戸閉動作中に、第２のスイッチがＯＮ状態からＯＦＦ状態に変わった後に、第１のスイッチ２１がＯＦＦ状態からＯＮ状態に変わらなかった場合には、次に、第１のドア位置検出センサ２０がかごドア本体２の全開状態を検出し、第２のドア位置検出センサがかごドア本体２の全閉状態を検出したかどうかが判定される。
【００２５】
具体的には、まず、かごドア本体２の戸開動作中時に、第２のスイッチがＯＮ状態からＯＦＦ状態に変わった後に、第１のスイッチ２１がＯＦＦ状態からＯＮ状態に変わったかどうかが判定される（ステップＳ６）。このとき、第２のスイッチがＯＮ状態からＯＦＦ状態に変わった後に、第１のスイッチ２１がＯＦＦ状態からＯＮ状態に変わったと判定されると、次に、かごドア本体２の戸閉動作中に、第１のスイッチ２１がＯＮ状態からＯＦＦ状態に変わった後に、第２のスイッチがＯＦＦ状態からＯＮ状態に変わったかどうかが判定される（ステップＳ７）。この判定時に、第１のスイッチ２１がＯＮ状態からＯＦＦ状態に変わった後に、第２のスイッチがＯＦＦ状態からＯＮ状態に変わったと判定されると、第１のドア位置検出センサ２０がかごドア本体２の全開状態を検出し、第２のドア位置検出センサがかごドア本体２の全閉状態を検出したと判定されるとともに（ステップＳ８）、その判定結果がメモリに記憶され、その後に通常運転に移行されるとともに、この入力情報判別動作が終了される。
【００２６】
一方で、上述した２つの判定動作での各条件が満たされなかった場合には、第１のスイッチ２１及び第２のスイッチがＯＮ及びＯＦＦされるタイミングが正規パターンでないと判定され、異常状態が表示されるとともに、エレベータ制御盤１６に対して異常発生信号が発せられる（ステップＳ９）。なお、異常発生の原因としては、例えば第１のスイッチ２１又は第２のスイッチの動作不良、接触不良、配線ミス等が考えられる。作業者は、それらの異常原因を解消した後に、エレベータ装置の電源を再投入する。
【００２７】
このようなエレベータのドア装置では、ドア制御装置１５は、かごドア本体２を開閉動作させるとともに、第１のドア位置検出センサ２０及び第２のドア位置検出センサがどの位置状態を検出するのかを、第１のドア位置検出センサ２０及び第２のドア位置検出センサのＯＮ状態及びＯＦＦ状態が、かごドア本体２の開閉動作中のどのタイミングでどのように切り替わったかに基づいて判定する入力情報判別動作を行うので、ドアカム装置１０と、第１のドア位置検出センサ２０及び第２のドア位置検出センサとの結線方法を選択する必要をなくすことができ、据付時間を短縮できるとともに、誤結線による不具合発生の可能性を低減させることができる。
【００２８】
また、既設のエレベータのドア装置には、ドアカム装置１０が用いられているものが多い。また、ドアカム装置１０が用いられているエレベータのドア装置に、既設の制御系部品をドア制御装置１５に交換する部分改修工事を施す場合に、ドア制御装置１５とドアカム装置１０との間の結線変更判断が特に難しいという問題がある。つまりこの発明は、ドアカム装置１０が用いられているエレベータのドア装置に、既設の制御系部品をドア制御装置１５に交換する改修工事を施す場合に特に有効である。
【００２９】
なお、実施の形態１、特に図７では、ドア制御装置１５は、電源が投入される度に入力信号判別運転を行うようになっているが、電源が遮断されても記憶内容が保持されるメモリをドア制御装置内に組み込み、電源投入後に毎回入力信号判別運転が実施されないようにしてもよい。
【００３０】
また、実施の形態１では、第１のドア位置検出センサ２０は、第１のスイッチ２１及び第１のカム２２を含むものと説明したが、ドア位置検出センサは例えば複数の近接センサ等でもよい。つまりこの発明は、ドアカム装置１０以外のドア位置検出器が用いられるエレベータのドア装置に対しても有効である。
【図面の簡単な説明】
【００３１】
【図１】この発明の実施の形態１による右開きのエレベータのかごドア装置を示す構成図である。
【図２】図１のエレベータのかごドア装置が左開きである場合を示す構成図である。
【図３】図１のかごドア本体が全閉されているときのドアカム装置の一部を示す正面図である。
【図４】図１のかごドア本体が全開されているときのドアカム装置の一部を示す正面図である。
【図５】図４の第１のスイッチと第２のスイッチとがＯＮされるタイミングを示す説明図である。
【図６】図２のドアカム装置内に設けられた第１のスイッチと第２のスイッチとがＯＮされるタイミングを示す説明図である。
【図７】図１及び図２のドア制御装置が行う入力情報判別動作を示すフローチャートである。
【符号の説明】
【００３２】
１  かご出入口、２  かごドア本体、１０  ドアカム装置（ドア位置検出器）、１５  ドア制御装置、２０  ドア位置検出センサ、２１  スイッチ、２２  カム。
【図１】
2007126225.tif 000003
【図２】
2007126225.tif 000004
【図３】
2007126225.tif 000005
【図４】
2007126225.tif 000006
【図５】
2007126225.tif 000007
【図６】
2007126225.tif 000008
【図７】
2007126225.tif 000009